(57)【特許請求の範囲】
【請求項１】
監視映像を撮像する撮像手段に電力を供給するカメラ電源供給手段と、
複数の撮像手段から入力される映像を切り替える映像切替手段と、
前記映像切替手段より出力された前記映像を録画する録画手段と、
前記カメラ電源供給手段、前記映像切替手段、及び前記録画手段を制御する制御手段と、
一次電源から供給された電力を前記カメラ電源供給手段、前記映像切替手段、前記録画手段、及び前記制御手段に供給する電源供給手段と、を備え、
前記電源供給手段は、前記一次電源の停電時に電力の供給を行う内蔵電池と、前記一次電源の停電時に前記内蔵電池から電力を供給するように出力を切り替える電源切替部とを有し、
前記制御手段は、前記電源切替部に対して前記一次電源の停電時に前記内蔵電池から電力を供給するように切替えるとともに、前記カメラ電源供給手段に対して前記録画手段に映像を録画する前記撮像手段にのみ電力を供給し、映像を録画しない前記撮像手段には電力を供給しないことを特徴とする監視カメラシステム。
【請求項２】
前記制御手段が、前記一次電源の停電を検知することによって予め登録された所定の場所をインターネットを介して通知する手段を備えたことを特徴とする請求項１に記載の監視カメラシステム。
【請求項３】
前記制御手段に振動を検出する振動検出手段、前記録画手段に半導体メモリ録画手段を備え、前記振動検出手段が振動を検出した場合には前記録画手段から前記半導体メモリ録画手段に記録を切り替え、かつ電力を供給する手段を有したことを特徴とする請求項１に記載の監視カメラシステム。
【発明の詳細な説明】
【０００１】
【発明の属する技術分野】
本発明は監視カメラシステムに関するものであり、特に、停電を伴う異常時の映像を記録するのに好適な監視カメラシステムに関するものである。
【０００２】
【従来の技術】
従来、この監視カメラシステムにおいては、通常、その全ての機器に商用電源から電力が供給されており、一般的に複数のカメラで撮影した映像信号をフレームスイチャで切り替えながらタイムラプスＶＴＲに記録するものが知られている。たとえば、一部の監視カメラシステムにおいては、そのシステム全体の制御用にコンピュータが用いられ、このコンピュータは、映像の記録の開始や停止、アラーム発生時の処理等を行う目的で使用される場合もある。
【０００３】
【発明が解決しようとする課題】
しかしながら、このような従来の監視カメラシステムにおいては、停電が発生すると監視カメラシステムが機能を停止し、当然映像の記録も行われないという問題があった。
【０００４】
また、コンピュータが制御用に用いられる場合は、コンピュータ制御用のソフトウェアが納められているハードディスクが、停電により障害を受けて、停電が復旧しても監視カメラシステムが復旧しないという問題があった。
【０００５】
本発明はこのような問題を解決するためになされたもので、停電が発生しても監視に必要な映像を記録し続けるとともに、停電という異常発生時に必要な処理を行うことができるという優れた監視カメラシステムを提供するものである。
【０００６】
【課題を解決するための手段】
本発明の監視システムは、監視映像を撮像する撮像手段に電力を供給するカメラ電源供給手段と、複数の撮像手段から入力される映像を切り替える映像切替手段と、前記映像切替手段より出力された前記映像を録画する録画手段と、前記カメラ電源供給手段、前記映像切替手段、及び前記録画手段を制御する制御手段と、一次電源から供給された電力を前記カメラ電源供給手段、前記映像切替手段、前記録画手段、及び前記制御手段に供給する電源供給手段と、を備え、前記電源供給手段は、前記一次電源の停電時に電力の供給を行う内蔵電池と、前記一次電源の停電時に前記内蔵電池から電力を供給するように出力を切り替える電源切替部とを有し、前記制御手段は、前記電源切替部に対して前記一次電源の停電時に前記内蔵電池から電力を供給するように切替えるとともに、前記カメラ電源供給手段に対して前記録画手段に映像を録画する前記撮像手段にのみ電力を供給し、映像を録画しない前記撮像手段には電力を供給しない構成となっている。この構成により、停電が発生しても前記カメラ電源供給手段、前記映像切替手段、前記録画手段、及び前記制御手段に電力を供給し続けることができ、停電という異常が発生した場合でも監視に必要な映像の記録を継続することが可能となる。
【０００８】
また、この構成により、停電後に記録が必要な最低限の前記撮像手段だけを動作させることが可能となり、前記電源供給手段の内蔵電池の消耗を防ぎ、更に監視カメラシステムに対して前記電源供給手段を効率よく使用することができるとともに、停電後に必要な処理を行うことが可能となる。
【００１０】
また、本発明の監視カメラシステムは、前記制御手段が、前記一次電源が断たれたことを検知することによって予め登録された所定の場所をインターネットを介して通知する手段を備えた構成を有している。この構成により、遠隔地にいるシステムの管理者は、監視カメラシステムが設置されている場所で停電が発生したことを知ることが可能となり、さらに他の情報と総合的に判断することで、地域での停電か、または監視カメラシステムの個別の停電かを推測することが可能となる。
【００１２】
また、本発明の監視カメラシステムは、前記制御手段に振動を検出する振動検出手段、前記録画手段に半導体メモリ録画手段を備え、前記振動検出手段が振動を検出した場合には前記録画手段から前記半導体メモリ録画手段に記録を切り替え、かつ前記１次電源が断たれた場合には前記電源供給手段から電力を供給する手段を有した構成となっている。この構成により、地震の発生に伴う監視カメラシステムの機械的故障を防ぐとともに、その後に停電が発生しても映像を記録し続けることが可能となる。
【発明の実施の形態】
以下、本発明の実施の形態について、図１から図４を用いて説明する。図１は監視カメラシステムのブロック図を示す。
【００１３】
本発明の第1の実施の形態による監視カメラシステムは、停電時に内蔵電池により映像を記録し続けることを可能にした画像（映像）記録システムであり、監視に必要な映像（以下「監視映像」という。）を撮像（撮影）する撮像手段としての複数台のビデオカメラ、即ちｎ（ｎは整数値）台のビデオカメラＡ１〜Ａｎ（図中では４つのビデオカメラを示しており、以下「n＝４」とする。）と、ビデオカメラＡ１〜Ａ４に電力（電源）を供給するカメラ電源供給手段としてのカメラ電源（「カメラ電源部」ともいう。）２と、ビデオカメラＡ１〜Ａ４から入力される映像を切り替える映像切替手段としての入力カメラ切替部３と、入力カメラ切替部３から送り込まれた映像に撮影時刻などの必要な情報を付加する録画手段としての記録制御部４と、入力カメラ切替部３より出力される情報を付加された映像を録画（記録）する録画手段としての記録部５と、記録部５に記録された映像の記録（以下「映像記録」という。）に関し、切替順序／切替間隔の指定を行い、記録制御部４に記録の開始／停止を指示する制御手段としての制御部６と、カメラ電源２、入力カメラ切替部３、記録制御部４、記録部５、制御部６の各ブロックに電力を供給する電源供給手段としての電源供給部７とを構成している。
【００１４】
記録部５は、通常時のハードディスクなどの記録デバイスである記録媒体を持っている。制御部６は、電源供給部７より停電が通知された場合には、映像記録の停止とともにシステムの停止に必要な処理を行い、電力の供給を停止しても障害が発生しないように所定の時間が経過した後、電源供給部７に対し電力の供給を停止するように指示を出す。
【００１５】
制御部６は、一次電源（図中の矢印ａ）を断った後、カメラ電源２を一括または個別に入切（以下「入／切」とする。）する機能を有し、監視に必要の無いビデオカメラＡ１〜Ａ４のカメラ電源を切ることにより、無駄な電力の消費を防ぐことができる。電源供給部７には、一次電源が接続、入力され、それを監視カメラシステムの各ブロックに供給する機能としての内蔵電池７ａと、一次電源の停電を検出する機能としての停電検出部７ｂと、停電時に内蔵電池７ａから電力を供給するように、出力を切り替える機能としての電源切替部７ｃとを備えている。
【００１６】
電源供給部７は、少なくとも制御部６に電力を供給し、入力カメラ切替部３、記録制御部４、記録部５に一括または個別に電力を供給することができる。内蔵電池７ａは、停電が検出されると電力の供給を行う。なお、同図には記していないが監視カメラシステムを構成する際には、記録系だけでは無く、再生系も備えていることが通例である。
【００１７】
次に、監視カメラシステムの動作について説明する。まず、ビデオカメラＡ１〜Ａｎで撮影された映像は、入力カメラ切替部３により順次切り替えられ、記録制御部４に送り込まれる。さらに、映像は記録制御部４で撮影時刻など必要な情報を付加され、記録部５に記録される。
【００１８】
以上のように、本実施の形態による監視カメラシステムによれば、内蔵電池７ａを有する電源供給部７を設けることにより、一次電源が停電を起こしても、カメラ電源２、入力カメラ切替部３、記録制御部４、記録部５、制御部６に電力を供給し続けることができ、停電という異常が発生した場合でも監視映像を記録し続けることができる。
【００１９】
また、監視カメラシステムによれば、ビデオカメラＡ１〜Ａ４が、電源供給部７から電力を供給されたカメラ電源２から電力を供給し、かつ制御部６がカメラ電源２の入／切を制御する構成となっているので、必要な映像記録が完了した時点でビデオカメラＡ１〜Ａ４に電力を供給するカメラ電源２への電力の供給を停止することで、電源供給部７の内蔵電池７ａの消耗を防ぐとともに、停電後に必要な処理を行うことができる。さらに、監視カメラシステムによれば、その記録時間を制御部６によって任意に設定できるので、内蔵電池７ａの過度の消費を防ぎ、内蔵電池７ａの寿命の消耗を防ぐことができる。しかも、監視カメラシステムによれば、制御部６は、一次電源が断たれた後にカメラ電源２を切るためのビデオカメラＡ１〜Ａ４を一括または個別に指定する構成となっているので、停電後に記録が必要な最低限のビデオカメラＡ１〜Ａ４だけを動作させることが可能になり、更に監視カメラシステムに対して電源供給部７を効率よく使用することができる。
【００２０】
図２は、本発明に係る第２の実施の形態による監視カメラシステムを示すブロック図である。なお、上記実施の形態による監視カメラシステムと同一の構成要素には同一の符号を付し、詳細な説明は省略する。
【００２１】
本実施の形態による監視カメラシステムは、暗闇で映像撮影が可能な照明１０、警告音で不法侵入を知らせるサイレン１１、逃避口を遮断するドア開閉機１２などの機器類を追加して、制御部６によって制御できるように構成されている。
【００２２】
制御部６は、一次電源が切れたことを検知した（停電が検出された）時、照明１０、サイレン１１、ドア開閉器１２などを制御し、照明１０の入／切、サイレン１１の入／切、ドア開閉器１２の開／閉を行うことができる。
【００２３】
以上のように、本発明に係る実施の形態による監視カメラシステムによれば、照明１０を設けることで停電の発生時に映像撮影に必要な明かりを確保し、映像記録を継続することができるのみならず、停電が不法侵入者などによって引き起こされた場合などでは、異常事態の特定に有効な映像記録を残すことができ、またサイレン１１などにより不法侵入者を威嚇することができ、しかもドア開閉器１２によってドアの開閉を制御できるので不法侵入者が逃げるための逃避口を遮断することで犯罪を最小限にくい止めることができる。
【００２４】
図３は、本発明に係る第３の実施の形態による監視カメラシステムを示すブロック図である。なお、同図は上記実施の形態による監視カメラシステムと同一の構成要素には同一符号を付し、詳細な説明は省略する。
【００２５】
本実施の形態による監視カメラシステムは、上述の第１の実施の形態による監視カメラシステムにインターネット接続部２０を追加した構成となっている。制御部６は、停電が検出されるとインターネット接続部２０を制御し、監視カメラサイトで停電が発生したことを予め登録されたインターネット・アドレスの所定の場所（以下「遠隔地」という。）に通知する。また、制御部６は、遠隔地からインターネット接続部２０を介してアクセスされ、ライブの映像や既に記録された映像を再生し確認することができる。
【００２６】
以上のように、本発明に係る実施の形態による監視カメラシステムによれば、停電発生時にインターネットで接続された遠隔地からインターネット接続部２０を介してビデオカメラＡ１〜Ａ４を設置した場所の停電発生を知ることができる。また、監視カメラシステムは、電源供給部７より電力の供給を受け、その動作を続けていれば、停電後も遠隔地から映像で現場状況を把握することができ、他の情報と総合的に判断することで、地域での停電か、または監視カメラシステムの個別の停電かを推測することができる。
【００２７】
図４は、本発明に係る第４の実施の形態による監視カメラシステムを示すブロック図である。なお、同図は上記実施の形態による監視カメラシステムと同一の構成要素には同一符号を付し、詳細な説明は省略する。
【００２８】
本実施の形態による監視カメラシステムは、上述の第１の実施の形態による監視カメラシステムにビデオカメラＡ１〜Ａ４で撮影された映像を入力カメラ切替部３を介して検出する動き検出部１２と、一次電源と自家発電（図中の矢印ｂ）を自家発電（図中の矢印ｃ）のみに切り替える切替部２６と、切替部２６を介して電源供給部７に自家発電からの電力を供給する自家発電手段としての自家発電部（「自家発電装置」ともいう。）２７とを追加した構成となっている。
【００２９】
内蔵電池７ａは、停電が検出されると電源供給を行うが、動き検出部がビデオカメラＡ１〜Ａ４から入力される映像内に動きを検出した場合には、制御部６が電源供給部７に接続される一次電源を商用電源から自家発電に切り替える。
【００３０】
本実施の形態による監視カメラシステムによれば、制御部６に接続された動き検出部２５が入力カメラ切替部３より出力される映像を入力し、さらに、制御部６が切替部２６を制御することにより、一次電源と自家発電を電源供給部７に接続される一次電源のみに切り替えることができる。
【００３１】
以上のように、本実施の形態による監視カメラシステムは、動き検出部２５、切替部２６、自家発電部２７を設けることで、停電の発生後に電源供給部７の内蔵電池７ａから電源供給を受けながら予め定められた時間に動作を続ける一方、動き検出部２５によって映像（被写体）内に動きが検出された場合には、重要な事象が起こって入ることが想定されるので長時間の映像記録を行うために、制御部６が電源供給部７に接続され、切替部２６を制御することにより、停電を起こした一次電源から自家発電に切り替えることができる。また、監視カメラシステムは、監視エリア内に進入した不法侵入者などがそのエリア内にいる間、その映像を撮影することができ、一定期間で映像記録を停止する場合に比べて、必要な映像を記録することができる。
【００３２】
図５は、本発明に係る第５の実施の形態による監視カメラシステムを示すブロック図である。なお、同図は上記実施の形態による監視カメラシステムと同一の構成要素には同一符号を付し、詳細な説明は省略する。
【００３３】
本実施の形態による監視カメラシステムは、第１の実施の形態による監視カメラシステムに地震などによる振動を検出する振動検出手段としての振動検出部（「振動検出器」ともいう。）３０と、通常時のハードディスクなどの記録デバイスから、記録媒体を記憶する機械的故障の無い半導体メモリ録画手段としての半導体メモリ記録部（「半導体メモリ記録装置」ともいう。）３１を追加した構成となっている。
【００３４】
制御部６は、振動検出部３０からの出力を入力し、記録制御部４を介して通常時の記録部５を半導体メモリ記録部３１に切り替えることができる。内蔵電池７ａは、記録部５の記録媒体を半導体メモリ記録部３１に切り替えた後、停電が発生すれば電力の供給を行う。
【００３５】
以上のように、本実施の形態による監視カメラシステムによれば、振動検出部３０と半導体メモリ記録部３１を設けることで、地震の発生などに伴う監視カメラシステムの機械的故障を防ぐとともに、その後に停電が発生しても半導体メモリ記録部３１によって映像記録を継続することができる。
【００３６】
なお、以上の説明では、制御部６を装置内蔵で構成した例で説明したが、その他、制御部６をコンピュータなどで置き換えても上記各実施の形態による監視カメラシステムと同様の効果を得ることができる。
【００３７】
【発明の効果】
以上説明したように、本発明は監視映像を撮像する撮像手段に電力を供給するカメラ電源供給手段と、複数の撮像手段から入力される映像を切り替える映像切替手段と、前記映像切替手段より出力された前記映像を録画する録画手段と、前記カメラ電源供給手段、前記映像切替手段、前記録画手段を制御する制御手段と、前記カメラ電源供給手段、前記映像切替手段、前記録画手段、前記制御手段に電力を供給する電源供給手段とを備え、前記制御手段が前記電源供給手段から一次電源の停電を通知された時、前記電源供給手段に対し、電力の供給を継続し、更に所定の時間の経過後に電力が切れるように指示する手段を有したことにより、停電が発生しても監視映像を記録し続けるとともに、停電という異常発生時に必要な処理を行うことができるというすぐれた効果を有する監視カメラシステムを提供することができるものである。
【図面の簡単な説明】
【図１】本発明に係る第1の実施の形態による監視カメラシステムを示すブロック図
【図２】本発明に係る第２の実施の形態による監視カメラシステムを示すブロック図
【図３】本発明に係る第３の実施の形態による監視カメラシステムを示すブロック図
【図４】本発明に係る第４の実施の形態による監視カメラシステムを示すブロック図
【図５】本発明に係る第５の実施の形態による監視カメラシステムを示すブロック図
【符号の説明】
Ａ１、Ａ２、Ａ３、Ａ４  ビデオカメラ（撮像手段）
２  カメラ電源（カメラ電源供給手段）
３  入力カメラ切替部（映像切替手段）
４  記録制御部（録画手段）
５  記録部（録画手段）
６  制御部（制御手段）
７  電源供給部（電源供給手段）
７ａ  内蔵電池
７ｂ  停電検出部
７ｃ  電源切替部
【図１】
0004746219.tif 000002
【図２】
0004746219.tif 000003
【図３】
0004746219.tif 000004
【図４】
0004746219.tif 000005
【図５】
0004746219.tif 000006